(57)【特許請求の範囲】
【請求項１】
遠心力を利用して固液を分離する遠心分離機に、脱水ケーキ排出管を介して連結されるとともに、前記脱水ケーキ排出管を通過した前記遠心分離機からの脱水ケーキが、推力を付与された状態で進入し、この脱水ケーキを次工程に供給する遠心分離機のシュートケーシングであって、
このシュートケーシング内において、前記脱水ケーキ排出管の開口部と対向する位置に、前記脱水ケーキの、前記開口部からシュートケーシング内への進入方向の前側および後側に向けて揺動可能で、かつこの進入方向の前側に移動したときに、前記シュートケーシングの内面に衝突可能とされた脱水ケーキ受け板が設けられていることを特徴とする遠心分離機のシュートケーシング。
【請求項２】
請求項１記載の遠心分離機のシュートケーシングにおいて、
前記脱水ケーキ受け板は、前記開口部と対向する表面が、この開口部に向けて開口する円弧形状とされるとともに、この円弧形状における両端開口部に、前記脱水ケーキ排出管の開口部よりも上方に設けられ水平方向に延びる支持シャフトが挿通されて、吊下げられていることを特徴とする遠心分離機のシュートケーシング。
【発明の詳細な説明】
【技術分野】
【０００１】
本発明は、遠心力を利用してスラリーを固液分離する遠心分離機のシュートケーシングに関するものである。
【背景技術】
【０００２】
この種の遠心分離機として、従来から例えば下記特許文献１および２に示されるような、押出し型やコニカル型など種々の型式が知られている。そして、この遠心分離機には、一般に、脱水ケーキ排出管を通過した遠心分離機からの脱水ケーキが、推力を付与された状態で進入し、この脱水ケーキを次工程に供給するシュートケーシングが連結されている。また、脱水ケーキ排出管は、シュートケーシングの側壁に連結されており、シュートケーシング内に推力が付与された状態で進入した脱水ケーキは、このシュートケーシング内において、脱水ケーキ排出管の開口部が形成された内面と対向する内面に衝突することになる。
【特許文献１】特許第２９３６２７０号公報
【特許文献２】特許第２５４２２９１号公報
【発明の開示】
【発明が解決しようとする課題】
【０００３】
しかしながら、前記従来の遠心分離機のシュートケーシングでは、シュートケーシング内に推力が付与された状態で進入した脱水ケーキが、このシュートケーシングの前記対向する内面に衝突して付着することがあった。そして、さらにこれが堆積することによって、シュートケーシングの内側が閉塞するおそれがあった。
【０００４】
本発明は、このような背景の下になされたもので、シュートケーシング内に進入した脱水ケーキにより、シュートケーシングの内側が閉塞するのを防ぐことができる遠心分離機のシュートケーシングを提供することを目的とする。
【課題を解決するための手段】
【０００５】
このような課題を解決して、前記目的を達成するために、本発明の遠心分離機のシュートケーシングは、遠心力を利用して固液を分離する遠心分離機に、脱水ケーキ排出管を介して連結されるとともに、前記脱水ケーキ排出管を通過した前記遠心分離機からの脱水ケーキが、推力を付与された状態で進入し、この脱水ケーキを次工程に供給する遠心分離機のシュートケーシングであって、このシュートケーシング内において、前記脱水ケーキ排出管の開口部と対向する位置に、前記脱水ケーキの、前記開口部からシュートケーシング内への進入方向の前側および後側に向けて揺動可能で、かつこの進入方向の前側に移動したときに、前記シュートケーシングの内面に衝突可能とされた脱水ケーキ受け板が設けられていることを特徴とする。
【０００６】
この発明によれば、シュートケーシング内に脱水ケーキ受け板が設けられているので、脱水ケーキ排出管からシュートケーシング内に推力が付与された状態で進入した脱水ケーキが、シュートケーシングの内面に衝突することなく、この脱水ケーキ受け板に衝突することになる。したがって、この際に脱水ケーキから受けた推力により、脱水ケーキ受け板を前記進入方向の前側に移動させて、この脱水ケーキ受け板をシュートケーシングの内面に衝突させ、この受け板がシュートケーシングの内面から受けた衝撃力を、脱水ケーキ受け板の表面上の脱水ケーキに伝播させることが可能になる。これにより、脱水ケーキ受け板に衝突した脱水ケーキが、そのままこの脱水ケーキ受け板に付着しようとしても、前記衝撃力によりこの脱水ケーキを脱水ケース受け板から落下させることが可能になり、シュートケーシング内に進入した脱水ケーキにより、シュートケーシングの内側が閉塞するのを防ぐことができる。
【０００７】
ここで、前記脱水ケーキ受け板は、前記開口部と対向する表面が、この開口部に向けて開口する円弧形状とされるとともに、この円弧形状における両端開口部に、前記脱水ケーキ排出管の開口部よりも上方に設けられ水平方向に延びる支持シャフトが挿通されて、吊下げられてもよい。
【０００８】
この場合、前記の作用効果が確実に奏されるとともに、この構成を簡便な構成で実現することが可能になり、脱水ケーキ受け板を設けたことによって、この遠心分離機のシュートケーシングが高コストになるのを防ぐことができる。
【発明の効果】
【０００９】
本発明に係る遠心分離機のシュートケーシングによれば、その内部に進入した脱水ケーキにより、シュートケーシングの内側が閉塞するのを防ぐことができる。
【発明を実施するための最良の形態】
【００１０】
以下、図１から図３に基づいて本発明の一実施形態を説明する。
シュートケーシング１５が取り付けられる遠心分離機１１は、それぞれ回転する外円筒バスケット１２およびこれと同軸に配設された内円筒バスケット１４と、外円筒バスケット１２の内面に固定された外スクリーン１６および内円筒バスケット１４の内面に固定された内スクリーン１８と、内円筒バスケット１４を前方に押出し外スクリーン１６上に分離された脱水ケーキを掻き取る押出し機構３５とを有している。これらの押出し機構３５の一部、外円筒バスケット１２、内円筒バスケット１４、外スクリーン１６および内スクリーン１８は、ケーシング１０の内部に設けられている。
【００１１】
そして、ケーシング１０には、前記掻き取られた後に脱水ケーキ排出管１３を通過した脱水ケーキが、推力を付与された状態で進入し、この脱水ケーキを次工程に供給するシュートケーシング１５が連結されている。なお、外スクリーン１６および内スクリーン１８は、それぞれ円筒形ワイヤスクリーンまたはプレートスクリーンとされている。
【００１２】
外円筒バスケット１２は、主軸２０の先端に設けられた第１保持板１２Ａに取り付けられており、図示されないモータの出力がプーリー２２に伝達されて主軸２０が回転することにより、外円筒バスケット１２および外スクリーン１６が主軸２０の軸線回りに回転するようになっている。
【００１３】
主軸２０の内部には押出し軸２４が遊びをもって挿嵌され、その後方端はピストン２６に取り付けられている。また、押出し軸２４の先端には第２保持板１４Ａが設けられ、この保持板１４Ａに内円筒バスケット１４が取り付けられている。そして、押出し軸２４、ピストン２６および第２保持板１４Ａにより、前記押出し機構３５が構成されている。
さらに、内円筒バスケット１４内には、押出し板２８およびディストリビュータ板３０が、互いの表面が離間して対向させられた状態で設けられている。押出し板２８は、外円筒バスケット１２を保持する第１保持板１２Ａに、第２保持板１４Ａを遊びをもって貫通する複数本の支持アーム３６を介して固定されている。そして、ディストリビューター板３０は押出し板２８に取り付けられている。
【００１４】
さらに、ケーシング１０内には、押出し板２８とディストリビューター板３０との間に被処理スラリーを供給するスラリー供給管３２が設けられている。また、外スクリーン１６および内スクリーン１８上に堆積した脱水ケーキに洗浄液を噴射して洗浄する洗浄液供給管３４が設けられている。
【００１５】
ここで、脱水ケーキ排出管１３は、図１に示されるように、平面視リング状とされている。また、シュートケーシング１５は鉛直方向に延在している。そして、脱水ケーキ排出管１３は、鉛直方向に延びるシュートケーシング１５の側壁に連結され、その開口部１３ａが、シュートケーシング１５の側壁における後述する内面１５ｂと対向している。
【００１６】
つまり、前記開口部１３ａからシュートケーシング１５内に進入した脱水ケーキは、このシュートケーシング１５の側壁における内面において、前記開口部１３ａの形成された内面１５ａから、この内面と対向する内面１５ｂに向けてこのシュートケーシング１５内に進入する。
【００１７】
以上のように構成された遠心分離機１１では、まず、スラリー供給管３２からスラリーが押出し板２８とディストリビューター板３０との間に供給され、この際、主軸２０の回転により外円筒バスケット１２および外スクリーン１６が回転するとともに、支持アーム３６が第２保持板１４Ａを貫通しているので、内円筒バスケット１４および内スクリーン１８も同一方向に回転させられる。
【００１８】
この回転の過程において、ピストン２６により押出し軸２４が主軸２０の軸線方向に前後運動する。そして、後退していた内円筒バスケット１４が前進すると、その前方端部の押出し部１４ａが外スクリーン１６の内周面上を摺動し、外スクリーン１６に堆積している脱水ケーキを前方に掻き寄せてその先端部からケーシング１０内に排出する。
【００１９】
そして、この排出が終了すると内円筒バスケット１４は、図示の元の位置に後退する。内円筒バスケット１４は連続的にスラリーの供給を受けながら、その内面の内スクリーン１８において固液分離を行うとともに、一部のスラリーが外スクリーン１６へ移行し、外スクリーン１６においても、固液分離がなされる。各スクリーン１６、１８での濾液は、各バスケット１２、１４の透孔を通ってケーシング１０内に排出される。
【００２０】
以上の過程において、ケーシング１０内に排出された脱水ケーキは、順次脱水ケーキ排出管１３内を通過し、その後、この脱水ケーキは推力が付与された状態で、前記開口部１３ａを通過してシュートケーシング１５内に進入し、このシュートケーシング１５から次工程に排出される。
【００２１】
そして、本実施形態では、図３に示されるように、シュートケーシング１５内において、脱水ケーキ排出管１３の開口部１３ａと対向する位置に、脱水ケーキの、前記開口部１３ａからシュートケーシング１５内への進入方向Ｆの前側および後側に向けて揺動可能で、かつこの進入方向Ｆの前側に移動したときに、シュートケーシング１５の内面に衝突可能とされた脱水ケーキ受け板１７が設けられている。この脱水ケーキ受け板１７は、前記進入方向Ｆの前側に移動すると、シュートケーシング１５の内面のうち、前記開口部１３ａの形成された内面１５ａと対向する内面１５ｂに衝突するようになっている。
【００２２】
そして、この脱水ケーキ受け板１７は、前記開口部１３ａに対向する表面１７ａが、この開口部１３ａに向けて開口するような円弧形状とされるとともに、この円弧形状における両端開口部１７ｂに、脱水ケーキ排出管１３の開口部１３ａよりも上方に設けられ水平方向に延びる支持シャフト１３ｃが挿通されて、吊下げられている。すなわち、脱水ケーキ受け板１７は、シュートケーシング１５の内径よりも小径の半割円管とされ、シュートケーシング１５と略同軸上に配置されている。そして、脱水ケーキ受け板１７は、その軸線方向上端部における前記両端開口部１７ｂに支持シャフト１３ｃが挿通され、その表面１７ａのうち軸線方向下部が、シュートケーシング１５に形成された開口部１３ａと対向している。
【００２３】
これにより、ケーシング１０内に排出された脱水ケーキが、脱水ケーキ排出管１３の開口部１３ａからシュートケーシング１５内に進入して、脱水ケーキ受け板１７の表面１７ａと衝突したときに、支持シャフト１３ｃの軸線回りに揺動し、前記進入方向Ｆの前側に移動したときに、図３の二点鎖線に示されるように、シュートケーシング１５の側壁における前記対向する内面１５ｂと衝突するようになっている。
【００２４】
本実施形態では、シュートケーシング１５内に進入した脱水ケーキは、脱水ケーキ受け板１７の表面１７ａにおいてその軸線方向下部に衝突し、この下部が前記進入方向Ｆの前側および後側に向けて揺動するとともに、この進入方向Ｆの前側に移動したときに、脱水ケーキ受け板１７の前記下部における裏面が、シュートケーシング１５の前記対向する内面１５ｂに衝突するようになっている。
【００２５】
以上説明したように、本実施形態に係る遠心分離機１１のシュートケーシング１５によれば、シュートケーシング１５内に脱水ケーキ受け板１７が設けられているので、脱水ケーキ排出管１３からシュートケーシング１５内に推力が付与された状態で進入した脱水ケーキが、シュートケーシング１５の前記対向する内面１５ｂに衝突することなく、この脱水ケーキ受け板１７の表面１７ａに衝突することになる。したがって、この際に脱水ケーキから受けた推力により、脱水ケーキ受け板１７を前記進入方向Ｆの前側に移動させて、この脱水ケーキ受け板１７の裏面をシュートケーシング１５の前記対向する内面１５ｂに衝突させ、この受け板１７がシュートケーシング１５の前記対向する内面１５ｂから受けた衝撃力を、脱水ケーキ受け板１７の表面１７ａ上の脱水ケーキに伝播させることが可能になる。これにより、脱水ケーキ受け板１７に衝突した脱水ケーキが、そのままこの脱水ケーキ受け板１７の表面１７ａに付着しようとしても、前記衝撃力によりこの脱水ケーキを脱水ケース受け板１７から落下させることが可能になり、シュートケーシング１５内に進入した脱水ケーキにより、シュートケーシング１５の内側が閉塞するのを防ぐことができる。
【００２６】
また、脱水ケーキ受け板１７は、シュートケーシング１５内に向けた脱水ケーキ排出管１３の開口部１３ａと対向する表面１７ａが、この開口部１３ａに向けて開口するような円弧形状とされるとともに、この円弧形状における両端開口部１７ｂに、脱水ケーキ排出管１３の開口部１３ａよりも上方に設けられた支持シャフト１３ｃが挿通されて、吊下げられているので、前記の作用効果が確実に奏されるとともに、この構成を簡便な構成で実現することが可能になり、脱水ケーキ受け板１７を設けたことによって、この遠心分離機１１のシュートケーシング１５が高コストになるのを防ぐことができる。
【００２７】
なお、本発明の技術的範囲は前記実施の形態に限定されるものではなく、本発明の趣旨を逸脱しない範囲において種々の変更を加えることが可能である。
例えば、前記実施形態では、脱水ケーキ受け板１７として、前記開口部１３ａに対向する表面１７ａが、この開口部１３ａに向けて開口するような円弧形状とされた構成を示したが、これに代えて、例えば平板であってもよく、その形状は特に限られるものではない。また、この脱水ケーキ受け板１７が、前記円弧形状における両端開口部１７ｂに、脱水ケーキ排出管１３の開口部１３ａよりも上方に設けられ水平方向に延びる支持シャフト１３ｃが挿通されて、吊下げられた構成を示したが、この構成に限られるものではない。
さらに、前記実施形態では、シュートケーシング１５として円管を示したが、例えば角管であってもよく、その断面形状は特に限定されるものではない。
さらにまた、前記実施形態では、遠心分離機１１として押出し型を示したが、これに代えて、例えばコニカル型においても適用可能であり、遠心分離機１１の形態は特に限定されるものではない。
【産業上の利用可能性】
【００２８】
シュートケーシング内に進入した脱水ケーキにより、シュートケーシングの内側が閉塞するのを防ぐことができる。
【図面の簡単な説明】
【００２９】
【図１】本発明の一実施形態として示した遠心分離機のシュートケーシングを示す概略構成図である。
【図２】図１に示す遠心分離機の一部断面側面図である。
【図３】図１に示すシュートケーシングの一部断面斜視図である。
【符号の説明】
【００３０】
１０  ケーシング
１１  遠心分離機
１２  外円筒バスケット
１３  脱水ケーキ排出管
１３ａ  開口部
１３ｃ  支持シャフト
１４  内円筒バスケット
１５  シュートケーシング
１５ｂ  内面
１６  外スクリーン
１７  脱水ケーキ受け板
１７ａ  開口部と対向する表面
１７ｂ  両端開口部
１８  内スクリーン
３５  押出し機構
Ｆ  進入方向
【図１】
0004536686.tif 000002
【図２】
0004536686.tif 000003
【図３】
0004536686.tif 000004